(57)【要約】【課題】多種多様で煩雑なＯＳ・プロトコルに依存しないで劇場内のコンテンツに対するアクセスの権限を一元管理する。【解決手段】所有者グループ設定部は、コンテンツを置く場所（パス）ごとにコンテンツの所有者グループを設定し、所属グループ設定部は、ユーザがアクセス可能なグループを設定する。これにより、コンテンツ所有者フィルタ部は、所有者グループ設定部および所属グループ設定部による設定に従ってユーザがアクセスできるコンテンツのフィルタリングを行う。コンテンツ種類設定部は、ユーザごとにアクセス可能なコンテンツの種類を設定し、コンテンツ種類格納部は、コンテンツ種類取得部が取得したコンテンツの種類を格納する。これにより、コンテンツ種類フィルタ部は、コンテンツ種類取得部が取得したコンテンツの種類を基にコンテンツ種類設定部による設定に従ってユーザがアクセスできるコンテンツのフィルタリングを行う。【選択図】図４
2013171968.tif 000002
【特許請求の範囲】
【請求項１】
コンテンツが保存されている場所と前記コンテンツを所有するグループとの対応関係を設定する所有者グループ設定部と、
ユーザと当該ユーザが所属する前記グループとの対応関係を設定する所属グループ設定部と、
前記ユーザと当該ユーザが閲覧可能な前記コンテンツの種類との対応関係を設定するコンテンツ種類設定部と、
前記コンテンツに対して前記ユーザがアクセスするときに、前記所有者グループ設定部および前記所属グループ設定部による設定に従って前記コンテンツの保存場所に応じて前記ユーザがアクセスできる前記コンテンツを制限するコンテンツ所有者フィルタ部と、
前記コンテンツに対して前記ユーザがアクセスするときに、前記コンテンツ種類設定部による設定に従って前記種類に応じてアクセスできるコンテンツを制限するコンテンツ種類フィルタ部と、
を備えた上映管理装置。
【請求項２】
前記コンテンツのファイルに記述された前記種類に関する情報を取得するコンテンツ種類取得部を備えている請求項１記載の上映管理装置。
【請求項３】
前記コンテンツ種類取得部が取得した前記種類に関する情報を保持するコンテンツ種類格納部を備え、前記コンテンツ種類フィルタ部は、前記種類に関する情報を前記コンテンツ種類格納部から取得する請求項２記載の上映管理装置。
【請求項４】
前記コンテンツ所有者フィルタ部は、前記ユーザの所属している前記グループが所有者となっている前記コンテンツのみアクセス可能にする請求項１記載の上映管理装置。
【請求項５】
前記コンテンツ種類フィルタ部は、前記ユーザが閲覧可能な前記種類の前記コンテンツのみアクセス可能にする請求項１記載の上映管理装置。
【請求項６】
コンテンツが保存されている場所と前記コンテンツを所有するグループとの第１の対応関係、ユーザと当該ユーザが所属する前記グループとの第２の対応関係、および、前記ユーザと当該ユーザが閲覧可能な前記コンテンツの種類との第３の対応関係を設定し、
前記コンテンツに対して前記ユーザがアクセスするときには、前記第１および第２の対応関係から前記ユーザの所属している前記グループが所有者となっている前記コンテンツと、前記第３の対応関係から前記ユーザが閲覧可能な前記種類の前記コンテンツとの少なくとも一方のみアクセス可能にする上映管理方法。
【発明の詳細な説明】
【技術分野】
【０００１】
本技術は、上映管理装置および上映管理方法に関する。詳しくは、映画館全体の運営を管理する映画館管理システムの中で特にデジタルシネマの上映コンテンツに対するアクセスの権限を管理する上映管理装置および上映管理方法に関する。
【背景技術】
【０００２】
複数のスクリーンが同じ施設内に設けられているシネマコンプレックスと呼ばれる映画館が増えてきている。このような映画館には、客席数の異なる複数のスクリーンがあり、作品の集客力に応じた規模のスクリーンで上映することにより、映画館の運営を効率的に行うことができる。【０００３】
それぞれのスクリーンでは、プリショウ（広告）、ライブイベント、予告編、映画本編などが上映される。これらのコンテンツにおいて、プリショウのコンテンツは、プリショウベンダが所有し、ライブイベントのコンテンツは、イベント会社が所有し、予告編および映画本編は、劇場が所有していて、それぞれの所有者が管理している。これらのコンテンツは、スクリーンごとにスクリーン管理システムによって管理されており、スクリーン管理システムでは、権限を有するユーザがプロジェクタまたはサーバを遠隔操作してファイルの再生を実行することができる。また、これらスクリーン管理システムは、ネットワークによって映画館管理システムに接続され、この映画館管理システムによって映画館の全体が管理されている（たとえば、特許文献１参照）。
【先行技術文献】
【特許文献】
【０００４】
【特許文献１】特表２００８−５１８３２２号公報
【発明の概要】
【発明が解決しようとする課題】
【０００５】
デジタルシネマの映画館では、様々な種類・所属のコンテンツがあり、役割や所属の異なる複数のユーザによって運営される。こういった環境においては、ユーザごとにコンテンツの権限管理が求められている。【０００６】
権限管理を行うためには、一般には、ＯＳ（Operating System）のファイルシステムのアクセス権管理を利用することが多い。ただし、ＯＳ・プロトコルによってアクセス管理の方法は異なる。デジタルシネマでは、コンテンツは、その所有者によって用意されるため、コンテンツを保存管理するファイルサーバなどでは、多種多様なＯＳ・プロトコルが使用される。このような環境において既存のファイルシステムの権限管理を流用してコンテンツのアクセス権の管理を行おうとすると、多種多様なＯＳ・プロトコルのアクセス管理方法のすべてに対応することが必要となる。しかし、すべてのＯＳ・プロトコルに対応することは、実際のシステム構築において困難である。【０００７】
また、ＯＳ・プロトコルの場合、ログインしたユーザごとの権限で実際にコンテンツにアクセスしてみて初めてそのコンテンツに関するアクセス権があるかどうかが分かる。そのためユーザがログインしてからユーザがアクセス可能なすべてのコンテンツを表示するまでに時間がかかる。【０００８】
本開示は、このような点に鑑みてなされたものであり、多種多様で煩雑なＯＳ・プロトコルに依存しないで劇場内のコンテンツに対するアクセスの権限を一元管理するような上映管理装置および上映管理方法を提供するものである。
【課題を解決するための手段】
【０００９】
本開示では、上映管理装置は、コンテンツが保存されている場所と前記コンテンツを所有するグループとの対応関係を設定する所有者グループ設定部と、ユーザと当該ユーザが所属する前記グループとの対応関係を設定する所属グループ設定部と、前記ユーザと当該ユーザが閲覧可能な前記コンテンツの種類との対応関係を設定するコンテンツ種類設定部と、前記コンテンツに対して前記ユーザがアクセスするときに、前記所有者グループ設定部および前記所属グループ設定部による設定に従って前記コンテンツの保存場所に応じて前記ユーザがアクセスできる前記コンテンツを制限するコンテンツ所有者フィルタ部と、前記コンテンツに対してユーザがアクセスするときに、前記コンテンツ種類設定部による設定に従って前記種類に応じてアクセスできるコンテンツを制限するコンテンツ種類フィルタ部と、を備えている。【００１０】
また、本開示の上映管理方法は、コンテンツが保存されている場所と前記コンテンツを所有するグループとの第１の対応関係、ユーザと当該ユーザが所属する前記グループとの第２の対応関係、および、前記ユーザと当該ユーザが閲覧可能な前記コンテンツの種類との第３の対応関係を設定し、前記コンテンツに対して前記ユーザがアクセスするときには、前記第１および第２の対応関係から前記ユーザの所属している前記グループが所有者となっている前記コンテンツと、前記第３の対応関係から前記ユーザが閲覧可能な前記種類の前記コンテンツとの少なくとも一方のみアクセス可能にする。
【発明の効果】
【００１１】
本開示によれば、コンテンツの所有者およびコンテンツの種類（ファイルの内容）に応じてアクセス権のフィルタリングをするので、ＯＳ・プロトコルに依存しないアクセス管理が可能になるという効果がある。
【図面の簡単な説明】
【００１２】
【図１】映画館のシステム構成を示す図である。
【図２】映画館におけるコンテンツの例を示す図である。
【図３】映画館を運営するユーザの説明図である。
【図４】上映管理装置の構成例を示す図である。
【図５】所有者グループの設定例を示す図である。
【図６】所属グループの設定例を示す図である。
【図７】所有者によるアクセス制限の説明図である。
【図８】コンテンツの種類の設定例を示す図である。
【図９】コンテンツ種類格納部のデータ構成例を示す図である。
【図１０】コンテンツの種類によるアクセス制限の説明図である。
【図１１】コンテンツ所有者フィルタ部およびコンテンツ種類フィルタ部の処理の流れを示すフローチャートである。
【図１２】コンテンツ一覧生成部の第１生成例を示す図である。
【図１３】コンテンツ一覧生成部の第２生成例を示す図である。
【図１４】コンテンツ一覧生成部の第３生成例を示す図である。
【図１５】本実施の形態に用いる映画館管理システムのハードウェア構成の例を示す図である。
【発明を実施するための形態】
【００１３】
以下、本技術の実施の形態について、図面を参照して詳細に説明する。
【００１４】
図１は映画館のシステム構成を示す図であり、図２は映画館におけるコンテンツの例を示す図であり、図３は映画館を運営するユーザの説明図である。
【００１５】
シネマコンプレックスと呼ばれる映画館には、複数のスクリーンがあり、それぞれのスクリーンは、スクリーン管理システム１１によって管理されている。すべてのスクリーン管理システム１１は、映画館管理システム１２とネットワーク１３によって接続されていて、映画館管理システム１２がすべてのスクリーンを管理している。
【００１６】
映画館で上映されるコンテンツには、図２に示したように、イベントコンテンツ２１、プリショウ（広告）コンテンツ２２、予告編コンテンツ２３、映画本編コンテンツ２４など、複数のコンテンツの種類（Content-Kind）が存在する。これらのコンテンツの種類は、コンテンツファイルにメタデータとして定義されているため、コンテンツを解釈すればコンテンツの種類を判別することができる。また、それらのコンテンツは、映画館が所有するもの、プリショウベンダが所有するもののように、コンテンツごとに所有者が存在している。
【００１７】
これらのコンテンツは、図３に示したように、プリショウベンダオペレータ、劇場オペレータ、劇場管理者などの複数のユーザが映画館管理システム１２を管理することによって映画館を運営している。
【００１８】
このように複数のユーザが映画館管理システム１２を管理する環境では、ユーザごとにコンテンツのアクセス制限が必要とされている。以下では、映画館管理システム１２の中で、コンテンツに対するユーザのアクセスに関する権限管理について説明する。
【００１９】
図４は上映管理装置の構成例を示す図、図５は所有者グループの設定例を示す図、図６は所属グループの設定例を示す図、図７は所有者によるアクセス制限の説明図、図８はコンテンツの種類の設定例を示す図、図９はコンテンツ種類格納部のデータ構成例を示す図、図１０はコンテンツの種類によるアクセス制限の説明図である。
【００２０】
上映管理装置３０は、ユーザを管理するユーザ管理部３１と、コンテンツを管理するコンテンツ管理部３２と、各種設定を行う権限設定部３３と、各種設定に応じてユーザがコンテンツにアクセス可能かどうかを判断する権限管理部３４とを備えている。ユーザ管理部３１は、ユーザ情報格納部３１ａに接続されてユーザ情報を管理し、コンテンツ管理部３２は、コンテンツ情報格納部３２ａに接続されてコンテンツ情報を管理している。
【００２１】
権限設定部３３は、所有者グループ設定部３５と、所属グループ設定部３６と、コンテンツ種類設定部３７と、コンテンツ種類格納部３８とを有している。権限管理部３４は、コンテンツ所有者フィルタ部３９と、コンテンツ種類フィルタ部４０と、コンテンツ種類取得部４１と、コンテンツ一覧生成部４２とを有している。
【００２２】
権限設定部３３の所有者グループ設定部３５は、コンテンツを置く場所（パス）ごとにグループを設定する。所属グループ設定部３６は、ユーザがアクセス可能なグループを設定する。コンテンツ種類設定部３７は、ユーザごとにアクセス可能なコンテンツの種類を設定する。コンテンツ種類格納部３８は、コンテンツ種類取得部４１が取得したコンテンツの種類を格納する。
【００２３】
権限管理部３４のコンテンツ所有者フィルタ部３９は、所有者グループ設定部３５および所属グループ設定部３６による設定に従ってユーザがアクセスできるコンテンツのフィルタリングを行う。コンテンツ種類フィルタ部４０は、コンテンツ種類取得部４１が取得したコンテンツの種類を基にコンテンツ種類設定部３７による設定に従ってユーザがアクセスできるコンテンツのフィルタリングを行う。コンテンツ種類取得部４１は、スクリーン管理システム１１のファイルサーバに格納されているコンテンツファイルを読み込んでコンテンツの種類を取得する。コンテンツ一覧生成部４２は、コンテンツ種類格納部３８に格納されているコンテンツの種類を基にコンテンツ種類設定部３７による設定に従ってユーザが閲覧できるコンテンツの一覧を生成する。
【００２４】
この上映管理装置３０では、コンテンツのアクセス制御に２種類の独立した制御方法を用いている。１つ目は、コンテンツが誰のものかという所有者の概念に基づいてユーザのアクセスを制御する方法であり、コンテンツ所有者フィルタ部３９によって実現している。２つ目は、コンテンツの種類に応じてユーザのアクセスを制御する方法であり、コンテンツ種類フィルタ部４０によって実現している。
【００２５】
コンテンツ所有者フィルタ部３９による１つ目のアクセス制御では、コンテンツの所有者を表す概念として、グループという概念を導入している。まず、コンテンツの所有者グループの決定方法について説明する。所有者グループ設定部３５は、図５に示したように、コンテンツを置く場所のパスとグループ名との対応テーブルを有し、コンテンツを置く場所（パス）ごとにグループを設定する。ここでは、パスの場所にコンテンツが置かれた場合、設定されたグループが所有者であるとみなしている。こうすることで、コンテンツの所有者グループが決定する。次に、所属グループ設定部３６は、図６に示したように、ユーザ名とグループ名との対応テーブルを有し、ユーザが所属するグループを設定することで、ユーザがアクセス可能なグループを決める。コンテンツ所有者フィルタ部３９は、コンテンツの所有者グループとユーザが所属するグループとから、そのユーザがどのコンテンツにアクセスできるかどうかを判断する。すなわち、ユーザは、自身が所属するグループであって、そのグループが所有者となっているコンテンツのみにアクセス可能とし、それ以外のコンテンツにはアクセス不可となる。
【００２６】
たとえば、図７に示したように、コンテンツとして「コンテンツＡ」、「コンテンツＢ」および「コンテンツＣ」があり、「コンテンツＡ」および「コンテンツＢ」が「ＦｏｌｄｅｒＡ」に格納され、「コンテンツＣ」が「ＦｏｌｄｅｒＢ」に格納されているとする。また、「ＦｏｌｄｅｒＡ」は、「グループａ」に設定され、「ＦｏｌｄｅｒＢ」が「グループｂ」に設定され、「グループａ」には、「ユーザ１」および「ユーザ２」が設定され、「グループｂ」には、「ユーザ２」および「ユーザ３」が設定されているとする。この場合、「ユーザ１」は、「グループａ」に設定されたパス「ＦｏｌｄｅｒＡ」の配下の「コンテンツＡ」および「コンテンツＢ」のみにアクセス可能になり、「コンテンツＣ」にはアクセス不可となる。「ユーザ２」は、「グループａ」および「グループｂ」に設定されているので、「グループａ」および「グループｂ」に設定されたパス「ＦｏｌｄｅｒＡ」および「ＦｏｌｄｅｒＢ」の配下のすべてのコンテンツにアクセス可能になる。「ユーザ３」は、「グループｂ」に設定されたパス「ＦｏｌｄｅｒＢ」の配下の「コンテンツＣ」のみにアクセス可能になり、「コンテンツＡ」および「コンテンツＢ」にはアクセス
不可となる。
【００２７】
このようにして、コンテンツ所有者フィルタ部３９は、コンテンツの所有者グループとユーザが所属するグループとによってユーザに対するコンテンツのアクセス制限を実現している。
【００２８】
次に、コンテンツ種類フィルタ部４０による２つ目のアクセス制御である、コンテンツの種類に応じてユーザのアクセスを制御する方法について説明する。コンテンツ種類設定部３７は、図８に示したように、ユーザ名とユーザが閲覧可能なコンテンツの種類との対応テーブルを有し、ユーザごとにアクセス可能なコンテンツの種類を設定している。なお、コンテンツ種類取得部４１が取得したコンテンツの種類は、図９に示したようなコンテンツとコンテンツの種類との対応テーブルの形でコンテンツ種類格納部３８に格納されている。
【００２９】
たとえば、図１０に示したように、コンテンツとして「コンテンツＡ」、「コンテンツＢ」および「コンテンツＣ」があるとする。その中で、「コンテンツＡ」および「コンテンツＢ」は、コンテンツの種類として「広告」が設定され、「コンテンツＣ」がコンテンツの種類として「予告編、映画本編」が設定されているとする。また、コンテンツの種類の「広告」には、「ユーザ１」および「ユーザ２」が設定され、コンテンツの種類の「予告編、映画本編」には、「ユーザ２」および「ユーザ３」が設定されているとする。この場合、「ユーザ１」は、コンテンツの種類が「広告」の「コンテンツＡ」および「コンテンツＢ」のみにアクセス可能になり、「コンテンツＣ」にはアクセス不可となる。「ユーザ２」は、すべてのコンテンツの種類が閲覧可能であるので、「コンテンツＡ」、「コンテンツＢ」および「コンテンツＣ」にアクセス可能になる。「ユーザ３」は、コンテンツの種類が「予告編、映画本編」の「コンテンツＣ」のみにアクセス可能になり、「コンテンツＡ」および「コンテンツＢ」にはアクセス不可となる。
【００３０】
このようにして、コンテンツ種類フィルタ部４０は、ユーザに対し、規定された種類のコンテンツのみにアクセス可能とし、それ以外の種類のコンテンツにはアクセス不可と判断している。
【００３１】
１つ目の所有者に基づくアクセス制御、２つ目のコンテンツの種類に応じたユーザのアクセス制御は、それぞれ独立した概念である。そのためユーザに最終的に閲覧可能なコンテンツは、両方の条件を満たすコンテンツとする方法も、いずれか一方の条件でも満たすコンテンツは、閲覧可能とする方法も可能である。
【００３２】
図１１はコンテンツ所有者フィルタ部およびコンテンツ種類フィルタ部の処理の流れを示すフローチャート、図１２はコンテンツ一覧生成部の第１生成例を示す図、図１３はコンテンツ一覧生成部の第２生成例を示す図、図１４はコンテンツ一覧生成部の第３生成例を示す図である。
【００３３】
コンテンツ所有者フィルタ部３９およびコンテンツ種類フィルタ部４０の処理は、ユーザが映画館管理システム１２にログインし、ユーザがコンテンツにアクセス（コンテンツの表示、コンテンツの削除など）するときに開始される。
【００３４】
まず、コンテンツ所有者フィルタ部３９は、所属グループ設定部３６からユーザが所属するグループを取得する（ステップＳ１）。次に、コンテンツ種類フィルタ部４０は、コンテンツ種類設定部３７からユーザのアクセス可能なコンテンツの種類を取得する（ステップＳ２）。
【００３５】
次に、コンテンツ所有者フィルタ部３９は、所有者グループ設定部３５からコンテンツのグループ情報を取得する（ステップＳ３）。次に、コンテンツ種類フィルタ部４０は、コンテンツ種類格納部３８からコンテンツファイルに記述されているコンテンツの種類の情報を取得する（ステップＳ４）。
【００３６】
次に、コンテンツ所有者フィルタ部３９またはコンテンツ種類フィルタ部４０またはその双方は、取得したアクセスするコンテンツのグループ情報およびコンテンツの種類の情報を基にユーザがコンテンツにアクセス可能かどうかを判断する（ステップＳ５）。ここで、ユーザがコンテンツにアクセス可能の場合、コンテンツ所有者フィルタ部３９またはコンテンツ種類フィルタ部４０またはその双方は、当該コンテンツへのアクセスを許可する（ステップＳ６）。ユーザがコンテンツにアクセス不可の場合には、コンテンツ所有者フィルタ部３９またはコンテンツ種類フィルタ部４０またはその双方は、当該コンテンツへのアクセスを禁止する（ステップＳ７）。
【００３７】
次に、コンテンツ所有者フィルタ部３９またはコンテンツ種類フィルタ部４０またはその双方は、権限が未確認なコンテンツがまだ存在するかどうかを判断する（ステップＳ８）。権限が未確認なコンテンツが存在する場合、処理は、ステップＳ３に進み、すべてのコンテンツの権限を確認した場合には、この処理は、終了する。
【００３８】
ここで、コンテンツ所有者フィルタ部３９およびコンテンツ種類フィルタ部４０の処理結果を基にコンテンツ一覧生成部４２がコンテンツ一覧を生成した場合について説明する。
【００３９】
たとえば、「ユーザ１」が閲覧可能なコンテンツを知りたいとき、コンテンツ一覧生成部４２は、図１２に示すように、コンテンツ一覧を生成することができる。図７に示した例では、「ユーザ１」が所属するグループに設定されているコンテンツが「コンテンツＡ」および「コンテンツＢ」であることから、ユーザ１が閲覧可能なコンテンツ一覧には、「コンテンツＡ」および「コンテンツＢ」が表示される。また、図１０に示した例では、「ユーザ１」に設定されたコンテンツの種類が「広告」であることから、ユーザ１が閲覧可能なコンテンツ一覧には、「広告」の「コンテンツＡ」および「コンテンツＢ」が表示される。
【００４０】
また、「ユーザ２」が閲覧可能なコンテンツを知りたいとき、コンテンツ一覧生成部４２は、図１３に示すように、コンテンツ一覧を生成することができる。図７に示した例では、「ユーザ２」が所属するグループに設定されているコンテンツが「コンテンツＡ」〜「コンテンツＣ」であることから、ユーザ２が閲覧可能なコンテンツ一覧には、「コンテンツＡ」〜「コンテンツＣ」が表示される。また、図１０に示した例では、「ユーザ２」に設定されたコンテンツの種類が「広告、予告編、映画本編」であることから、ユーザ２が閲覧可能なコンテンツ一覧には、「広告、予告編」の「コンテンツＡ」〜「コンテンツＣ」が表示される。
【００４１】
そして、「ユーザ３」が閲覧可能なコンテンツを知りたいとき、コンテンツ一覧生成部４２は、図１４に示すように、コンテンツ一覧を生成することができる。図７に示した例では、「ユーザ３」が所属するグループに設定されているコンテンツが「コンテンツＣ」であることから、ユーザ３が閲覧可能なコンテンツ一覧には、「コンテンツＣ」が表示される。また、図１０に示した例では、「ユーザ３」に設定されたコンテンツの種類が「広告、予告編、映画本編」であることから、ユーザ３が閲覧可能なコンテンツ一覧には、「予告編」の「コンテンツＣ」が表示される。
【００４２】
以上のようにして、上映管理装置３０は、コンテンツのグループ情報およびコンテンツの種類の情報を基にユーザがアクセス可能か否かを判断しているので、ＯＳ・プロトコルに依存しない一元的なコンテンツの権限管理が実現できる。
【００４３】
また、ユーザは、所属するグループに属するコンテンツのみ、および、自分が操作可能な種類のコンテンツのみを管理・閲覧できるので、権限のないコンテンツを不用意に閲覧・変更してしまうことがなくなる。
【００４４】
さらに、コンテンツ種類格納部３８がすべてのコンテンツの種類を常に保持している。コンテンツ一覧生成部４２は、ログインしたユーザごとの権限に従いコンテンツをフィルタリングして閲覧可能なコンテンツの一覧を生成するので、ログイン後、ユーザへの表示を高速化することができる。
【００４５】
図１５は本実施の形態に用いる映画館管理システムのハードウェア構成の例を示す図である。
【００４６】
コンピュータ５０は、ＣＰＵ（Central Processing Unit）５１によって装置全体が制御されている。ＣＰＵ５１には、バス５８を介してＲＡＭ（Random Access Memory）５２、ハードディスクドライブ（ＨＤＤ：Hard Disk Drive）５３、グラフィック処理装置５４、入力インタフェース５５、光学ドライブ装置５６および通信インタフェース５７が接続されている。
【００４７】
ＲＡＭ５２には、ＣＰＵ５１に実行させるＯＳのプログラムやアプリケーションプログラムの少なくとも一部が一時的に格納される。また、ＲＡＭ５２には、ＣＰＵ５１による処理に必要な各種データが格納される。ハードディスクドライブ５３には、ＯＳ、アプリケーションプログラム、コンテンツ情報、ユーザ情報、設定情報などが格納される。
【００４８】
グラフィック処理装置５４には、モニタ５９が接続されている。グラフィック処理装置５４は、ＣＰＵ５１からの命令に従って、画像をモニタ５９の画面に表示させる。入力インタフェース５５には、キーボード６０とマウス６１とが接続されている。入力インタフェース５５は、キーボード６０やマウス６１から送られてくる信号を、バス５８を介してＣＰＵ５１に送信する。光学ドライブ装置５６は、光ディスク６２に記録されたＯＳのプログラムや上映管理装置のプログラムなどのアプリケーションプログラムを読み込み、ハードディスクドライブ５３に格納する。
【００４９】
通信インタフェース５７は、ネットワーク１３に接続されている。通信インタフェース５７は、ネットワーク１３を介して、スクリーン管理システム１１のファイルサーバなどの他のコンピュータとの間でデータの送受信を行う。
【００５０】
以上のようなハードウェア構成によって、本実施の形態の処理機能を実現することがで
きる。
【符号の説明】
【００５１】
１１……スクリーン管理システム、１２……映画館管理システム、１３……ネットワーク、２１……イベントコンテンツ、２２……プリショウ（広告）コンテンツ、２３……予告編コンテンツ、２４……映画本編コンテンツ、３０……上映管理装置、３１……ユーザ管理部、３１ａ……ユーザ情報格納部、３２……コンテンツ管理部、３２ａ……コンテンツ情報格納部、３３……権限設定部、３４……権限管理部、３５……所有者グループ設定部、３６……所属グループ設定部、３７……コンテンツ種類設定部、３８……コンテンツ種類格納部、３９……コンテンツ所有者フィルタ部、４０……コンテンツ種類フィルタ部、４１……コンテンツ種類取得部、４２……コンテンツ一覧生成部、５０……コンピュータ、５１……ＣＰＵ、５２……ＲＡＭ、５３……ハードディスクドライブ、５４……グラフィック処理装置、５５……入力インタフェース、５６……光学ドライブ装置、５７……通信インタフェース、５８……バス、５９……モニタ、６０……キーボード、６１……マウス、６２……光ディスク
【図１】
2013171968.tif 000003
【図２】
2013171968.tif 000004
【図３】
2013171968.tif 000005
【図４】
2013171968.tif 000006
【図５】
2013171968.tif 000007
【図６】
2013171968.tif 000008
【図７】
2013171968.tif 000009
【図８】
2013171968.tif 000010
【図９】
2013171968.tif 000011
【図１０】
2013171968.tif 000012
【図１１】
2013171968.tif 000013
【図１２】
2013171968.tif 000014
【図１３】
2013171968.tif 000015
【図１４】
2013171968.tif 000016
【図１５】
2013171968.tif 000017
【国際調査報告】
2013171968.tif 000018
2013171968.tif 000019
2013171968.tif 000020
2013171968.tif 000021